(57)【要約】【課題】把手をビスで固定するものにおいて、調理容器本体と把手を固定するビスがない状態で調理容器を持ち上げた場合にも、容易に調理容器と把手が外れず、安全性を高めること。【解決手段】調理容器本体１の外側に伸設された係止片４に下向きに凸となる係止リブ６を設け、把手２に設けられた係止片４を挿入する袋部５の内部に係止リブ６を係止させる係止嵌合部８を設け、係止嵌合部８を支点に保持部１１に上向きに力をかける方向に把手２を回転させた時に把手２の動きを妨げる当接部１０を有するので、袋部５を係止片４に対し斜め下方向から挿入することで調理容器本体１と嵌合し、把手２の下面に設けられた保持部１１に上方向に力を加えた時には、把手２の係止嵌合部８を支点とする回転を当接部１０が妨げることによって、調理容器本体１に対し把手２の位置を固定させる。【選択図】図２
2011024796.tif 000002
【特許請求の範囲】
【請求項１】
調理物を入れて調理を行う金属性の調理容器本体と、前記調理容器本体の外側に伸設された係止片と、手をかけて前記調理容器を運搬するための下方に面する保持部と前記係止片を挿入する袋部とを有する樹脂製の把手と、前記係止片と前記把手とを螺着するビスとを備え、前記係止片には下向きに凸となる係止リブを設け、前記袋部の内部に前記係止リブを係止させる係止嵌合部を設け、前記係止嵌合部を支点に前記把手を前記保持部に上向きに力をかける方向に回転させた時に把手の動きを妨げる当接部を有する構成とした調理容器。
【請求項２】
袋部の下面に孔を設け、前記孔の調理容器本体側の側面を係止嵌合部とする構成とした請求項１に記載の調理容器。
【請求項３】
袋部の上面端部が調理容器本体または係止片と隙間なく接する構成とした請求項１または２に記載の調理容器。
【発明の詳細な説明】
【技術分野】
【０００１】
本発明は、一般家庭などにおいて使用され、容器内に被調理物を入れて調理を行なう調理容器に関するものである。
【背景技術】
【０００２】
従来の調理容器には、金属の調理容器本体に加熱調理後も素手で容易に調理容器を持ち運べるようにするために、樹脂製の把手を設けている（例えば特許文献１参照）。その取り付け方法として、調理容器の一部や調理容器に取り付けた係止部を把手の袋部に挿入し螺着して固定する構成となっているものがある。図８、９は、従来の調理容器の構成を示す要部底面図と、断面図である。
【先行技術文献】
【特許文献】
【０００３】
【特許文献１】特開平１０−１４６２７８号公報
【発明の概要】
【発明が解決しようとする課題】
【０００４】
しかしながら前記従来の調理容器の把手取り付け構成は、万が一調理容器を持ち上げた状態でビスが外れた場合に、調理容器本体と把手とが容易に外れて落下し、やけどやけがなどが発生する危険性があるという課題があった。本発明は、前記従来の課題を解決するもので、調理容器本体と把手を固定するビスがない状態で調理容器を持ち上げた場合にも、容易に調理容器と把手が外れず、安全性を高めた調理容器を提供することを目的とする。
【課題を解決するための手段】
【０００５】
前記従来の課題を解決するために、本発明の調理容器は、調理物を入れて調理を行う金属性の調理容器本体と、前記調理容器本体の外側に伸設された係止片と、手をかけて前記調理容器を運搬するための下方に面する保持部と前記係止片を挿入する袋部とを有する樹脂製の把手と、前記係止片と前記把手とを螺着するビスとを備え、前記係止片には下向きに凸となる係止リブを設け、前記袋部の内部に前記係止リブを係止させる係止嵌合部を設け、前記係止嵌合部を支点に前記把手を前記保持部に上向きに力をかける方向に回転させた時に把手の動きを妨げる当接部を有する構成とすることで、前記把手の袋部を前記係止片に対し斜め下方向から挿入することで調理容器本体と嵌合し、前記把手の下面に設けられた保持部に上方向に力を加えた時には、前記把手の前記係止嵌合部を支点とする回転を前記当接部が妨げることによって、前記調理容器本体に対し前記把手の位置を固定させる構成としたものである。
【０００６】
このような構成とすることにより、調理容器と把手を固定するビスがない状態で把手の保持部に手をかけて調理容器を上に持ち上げた時に把手が容易に外れることを防ぎ、調理容器を持ち上げることができる。
【０００７】
また、調理容器を置いた状態では把手を調理容器外側方向で斜め下方向に傾け動かすことで、係止リブが係止嵌合部を避けるように把手を取り外すことができるため、調理容器を落とす危険がなく安全な状態でのみ、把手の取り外しを行うことができる。
【発明の効果】
【０００８】
本発明の調理容器は、調理容器に伸設された係止片の係止勘合部を把手の袋部に設けら
れた係止リブによって係止する構成としたので、把手に手をかけて鍋を移動する際にビスが外れた場合にも、調理容器本体が落下することを防止でき、安全である。また調理容器を置いた状態などの調理容器本体が落下しない状態では、把手の取り付け・取り外しを容易に行うことができ、製造時の組立て性と使用時の安全性とが共に良好にすることができる。
【図面の簡単な説明】
【０００９】
【図１】本発明の実施の形態１における調理容器の正面図
【図２】本発明の実施の形態１における調理容器の把手部の底面図
【図３】本発明の実施の形態１における図２Ａ−Ａの断面図
【図４】本発明の実施の形態１における図２Ｂ−Ｂの断面図
【図５】本発明の実施の形態１における把手部のビスがない状態での調理容器持ち上げ方向に荷重がかかった場合の断面図
【図６】本発明の実施の形態１における把手部のビスがない状態で把手に外側方向に荷重がかかった場合の断面図
【図７】本発明の実施の形態１における把手部のビスがない状態での把手取り外し時の断面図
【図８】従来の加熱調理器の把手部の底面図
【図９】従来の加熱調理器の把手部の断面図
【発明を実施するための形態】
【００１０】
第１の発明は、調理物を入れて調理を行う金属性の調理容器本体と、前記調理容器本体の外側に伸設された係止片と、手をかけて前記調理容器を運搬するための下方に面する保持部と前記係止片を挿入する袋部とを有する樹脂製の把手と、前記係止片と前記把手とを螺着するビスとを備え、前記係止片には下向きに凸となる係止リブを設け、前記袋部の内部に前記係止リブを係止させる係止嵌合部を設け、前記係止嵌合部を支点に前記把手を前記保持部に上向きに力をかける方向に回転させた時に把手の動きを妨げる当接部を有する構成としたものである。このことにより、調理容器と把手を固定するビスがない状態で、保持部に手をかけて調理容器を上に持ち上げた時にも、把手の係止嵌合部を支点とする回転を当接部が妨げることによって、調理容器本体に対し把手の位置を固定させることで把手が外れることを防ぎ、調理容器を持ち上げることができる。また、調理容器を置いた状態では把手を調理容器外側方向で斜め下方向に傾け動かすことで、係止リブが係止嵌合部を避けるように把手を取り外すことができるため、調理容器を落とす危険がなく安全な状態でのみ、把手の取り外しを行うことができる。
【００１１】
第２の発明は、特に、第１の発明において、袋部の下面に孔を設け、前記孔の調理容器本体側の側面を係止嵌合部とする構成としたものである。このことにより、把手を金型成形する時に係止嵌合部を袋部の外部から形成することができ、袋部内部にアンダーカットを設けない形状にできる。
【００１２】
第３の発明は、第１または第２の発明において、袋部の上面端部が調理容器本体または係止片と隙間なく接する構成としたものである。このことにより、調理物などが把手部に上からかかった場合にも袋部内部に調理液が入り込むことを防ぎ、清潔な調理容器が提供できる。
【００１３】
以下、本発明の実施の形態について図面を用いて説明する。なお、この実施の形態によって本発明が限定されるものではない。
【００１４】
（実施の形態１）
図１は本発明における調理容器の正面図、図２は本発明における調理容器の把手部の底
面図である。調理容器本体１の外側に係止片４が伸設され、把手２がビス３にて係止片４に固定されている。図３は図２におけるＡ−Ａの断面図、図４は図２におけるＢ−Ｂの断面図である。図３のように、係止片４は把手２の袋部５に挿入され、把手の下面よりビス３にて羅着されている。図４において、係止片４には下向きに凸となる係止リブ６が設けられている。袋部５の下面には孔７が設けられ、係止リブ６が孔７に嵌まり込む構成となっており、これによって把手２の係止片４に対する位置決めとなっている。把手の袋部の上面端部９は、調理容器開口部から伸張した当接部１０に隙間なく接している。隙間なく接していることにより、調理物などが把手２に上からかかった場合にも袋部５内部に調理液が入り込むことを防ぐことができる。
【００１５】
以上のように構成された調理容器において、図５から図７を用いてビス３が無い状態での調理容器の動きを説明する。
【００１６】
図５から図７はビスがない状態での把手部の断面図である。図５において、把手２の保持部１１に上向きの力がかかると、把手２は袋部上面端部９を支点に図の矢印方向に回転しようとする。このとき、孔７の調理容器本体側の側面が係止嵌合部８となって係止リブ６が係止されるため、把手２の回転を防ぐこととなり、把手２は調理容器本体１から外れず、調理容器本体１は落下しない。
【００１７】
また、図６のように把手２を調理容器本体１から離す方向に力をかけた場合には係止リブ６の調理容器本体側の面と係止嵌合部８が係止し、把手２が外れるのを防ぐ。
【００１８】
把手２を取り外す場合には、図７のように把手２を斜め下方向に傾けることで、係止リブ６が係止嵌合部８から外れるため、そのまま斜め下方向に移動させれば把手２を外すことができる。ここで、係止リブ６の高さは把手２を斜め下に傾けた状態で嵌合部から外れることができる範囲でできるだけ高い方が、不用意に外れにくくなって良い。なお、把手２を組み立てる場合はこの逆の経路をたどって係止片４を袋部５に載置し、螺着すればよい。
【００１９】
なお、本実施の形態では係止片４は調理容器本体１と一体に形成しているが、別部品として形成してから調理容器本体１に螺着や溶接等で取り付けてもよい。
【００２０】
なお、本実施の形態ではビス３の螺着位置を係止片４内に設けたが、係止片外の部分で把手２と調理容器本体１を螺着してもよい。
【産業上の利用可能性】
【００２１】
以上のように、本発明にかかる調理容器は、調理容器本体と把手を固定するビスがない状態で把手に手をかけて持ち上げた場合にも、容易に本体と把手が外れず、安全性を確保することができるので、持ち運び用の把手を有する器具全般に適用することできる。
【符号の説明】
【００２２】
１  調理容器本体
２  把手
３  ビス
４  係止片
５  袋部
６  係止リブ
７  孔
８  系止嵌合部
９  袋部上面端部
１０  当接部
１１  保持部
１２  ガード
【図１】
2011024796.tif 000003
【図２】
2011024796.tif 000004
【図３】
2011024796.tif 000005
【図４】
2011024796.tif 000006
【図５】
2011024796.tif 000007
【図６】
2011024796.tif 000008
【図７】
2011024796.tif 000009
【図８】
2011024796.tif 000010
【図９】
2011024796.tif 000011